(57)【特許請求の範囲】
【請求項１】
水平方向に延伸された大梁と、前記大梁に固定され前記大梁の上方に垂直方向に延伸さ
れる支柱との接合を補強する梁受金物であって、
前記大梁及び前記支柱よりも剛性が高く、
前記支柱の水平方向位置から水平方向の両方向に連続して伸び、前記大梁の２つの垂直
延伸部を被覆するとともに、前記垂直延伸部に固定される一対の主部と、
前記主部の前記水平方向の両端上部から前記大梁側に突出し、前記大梁の上方水平延伸
部を上から被覆する２つの支持部と、
前記２つの支持部の間に配されるとともに、前記主部の上部に設けられ、前記支柱の下
方を支持する柱受材と、
前記大梁の下方水平延伸部の前記支柱の下方に、前記主部に接続して設けられ、
前記支柱の下方への応力を吸収する撓み防止材と
を備えることを特徴とする、梁受金物。
【請求項２】
前記２つの支持部が前記柱受材に対して等間隔に配されていることを特徴とする、請求
項１に記載の梁受金物。
【請求項３】
前記大梁の垂直延伸部と前記主部との接続は、前記主部の２つの前記支持部に対応する
箇所に設けられた孔部を介したピン止めによって行われ、
前記孔部は、各々の前記支持部に対応する箇所に垂直方向に並んで２つ以上存在するこ
とを特徴とする、請求項１又は２に記載の梁受金物。
【発明の詳細な説明】
【技術分野】
【０００１】
本発明は、梁に外力がかかる場合に、外力を吸収する梁受金物に関する。
【背景技術】
【０００２】
梁にかかる外力を吸収し、梁を安定して保持するための梁受金物が、特許文献１〜４に示すように、広く知られている。いずれも、通常は木製の梁に対して剛性の高い金属製の梁受（梁受金物）を用いている。
【０００３】
梁受金物は、その剛性によって、梁を固定し、外力に基づく梁の変形を防止する。梁にかかる応力を吸収するものである。ここで、梁にかかる応力としては梁の上方に設けられた支柱から受ける下向きのものが考えられる。
【０００４】
支柱から受ける下向きの応力の対応としては、応力に対して反力を発生することに加えて、応力を分散して梁の歪みを軽減することが考えられる。しかし、特許文献１〜４に示された従来技術は、応力の分散を直接的に追及したものではなかった。
【先行技術文献】
【特許文献】
【０００５】
【特許文献１】特開平１０−１０２６９３号公報
【特許文献２】特開平１０−１０２６６５号公報
【特許文献３】特開２００５−１５５０２６号公報
【特許文献４】特開２０１６−０３７６９８号公報
【発明の概要】
【発明が解決しようとする課題】
【０００６】
本発明は、支柱から受ける下向きの応力を剛性によって支持すると共に、応力を分散して梁の歪みを軽減する梁受金物を提供することを課題とする。
【課題を解決するための手段】
【０００７】
本発明の梁受金物は、
水平方向に延伸された大梁と、前記大梁に固定され前記大梁の上方に垂直方向に延伸される支柱との接合を補強する梁受金物であって、
前記大梁及び前記支柱よりも剛性が高く、
前記大梁の２つの垂直延伸部を前記支柱の左右にわたって被覆する主部と、
前記大梁の上方水平延伸部の前記支柱の両側に各々設けられ、前記主部に接続され、前記上方水平延伸部を上から被覆する２つの支持部とを備えることを特徴とする。
【０００８】
この特徴によれば、２つの支持部が支柱の両端に設けられ、支柱から受ける下向きの応力を２つの支持部に分散することができる。
【０００９】
本発明の梁受金物は、
前記２つの支持部の間に配され、前記支柱の下方を支持する柱受材を備えることを特徴とする。
【００１０】
この特徴によれば、柱受材によって支柱を支持し、大梁及び支柱を安定して維持することができる。
【００１１】
本発明の梁受金物は、
前記上方水平延伸部を被覆する部材は、前記支持部と前記柱受材のみであり、前記２つの支持部が前記柱受材に対して等間隔に配されていることを特徴とする。
【００１２】
この特徴によれば、２つの支持部が支柱と空隙を持って配され、２つの支持部の間のモーメントが小さくなり、大梁の保持が安定する。
【００１３】
本発明の梁受金物は、
前記支持部と前記主部との接続は、前記主部の２つの前記支持部に対応する箇所に設けられた孔部を介したピン止めによって行われ、
前記孔部は、各々の前記支持部に対応する箇所に垂直方法に並んで２つ以上存在することを特徴とする。
【００１４】
この特徴によれば、大梁が梁受金物に対して水平方向に移動してしまうことを予防することができる。
【００１５】
本発明の梁受金物は、
前記大梁の下方水平延伸部の前記支柱の下方に、前記支柱の下方への応力を吸収する撓み防止材を備えることを特徴とする。
【００１６】
この特徴によれば、大梁が前記支柱の下方への応力によって押圧されて、支柱部分を下方に、支持部の外側を上方に移動させてしまう歪みを防止することができる。
【発明の効果】
【００１７】
本発明によれば、支柱から受ける下向きの応力を剛性によって支持すると共に、応力を分散して梁の歪みを軽減する梁受金物を提供することができる。
【図面の簡単な説明】
【００１８】
【図１】図１は、大梁及び梁受金物を示す図である。
【図２】図２は、大梁、小梁及び梁受金物を示す図である。
【図３】図３は  図２を分解して示す図である。
【図４】図４は、支柱の応力への対応を示す図である。
【図５】図５は、撓み防止材を備えない場合の支柱の応力への対応を示す図である。
【発明を実施するための形態】
【００１９】
図１は、大梁及び梁受金物を示す図である。大梁１に梁受金物２が組み合わされてる。図には、支柱３を合わせて示している。
【００２０】
大梁１は、水平方向に延伸される通常は木製で略四角柱上の柱体である。延伸方向に４つの面があるが、２つの垂直延伸部１１（図の表面側と裏面側の２面）、上方水平延伸部１２及び下方水平延伸部１３の４つの面が延伸方向に長さを有する。
【００２１】
梁受金物２は、大梁１を被覆し、固定するための金物である。主部２１、支持部２２、孔部２３、柱受材２４及び撓み防止材２５を備える。主部２１は２つの垂直延伸部１１を被覆し、２つの支持部２２は上方水平延伸部１２の両側の部分をそれぞれ被覆し、孔部２３は主部２１の支持部２２の下方（２か所）に設けられ、柱受材２４は上方水平延伸部１２の中央（２つの支持部２２の間）に配されている。
【００２２】
図２は、大梁、小梁及び梁受金物を示す図である。図１と比較して、小梁４が追加され、小梁４を係止する小梁受材２６が追加されている。
【００２３】
図３は  図２を分解して示す図である。図２を分解して、各部材の位置づけを示したものである。２つの主部２１が、大梁１の手前側と奥側に設けられ、大梁１を前後から被覆している。支持部２２は、主部２１から突出しており、上方水平延伸部１２の両側において、大梁１の上部への移動を係止している。
【００２４】
孔部２３は、主部２１の支持部２２に対応する箇所（支持部２２の水平方向の座標に含まれる位置）に、垂直に２つ設けられている。なお、２つでなく３つ以上でもよい。１つの主部２１に設けられた孔部２３と、もう１つの主部２１に設けられた孔部２３とをピン止めすることで、２つの主部２１の間で大梁１が水平方向に移動してしまうことを防止する。なお、この目的のために、大梁１の孔部２３に対応する箇所にピン止め用の孔を設ける。
【００２５】
柱受材２４は、主部２１の上部に設けられ支柱３を下方から係止する。係止を確実にするために、支柱３に挿入される柱受用突出部２４１が設けられている。
【００２６】
撓み防止材２５は、主部２１に接続され、柱受材２４の直下の箇所で支柱３からの応力を吸収する。
【００２７】
図４は、支柱の応力への対応を示す図である。図３の構造において、支柱３に黒太矢印で示す下方への応力５１がかかった場合（支柱３の自重であり、常にかかる）に、梁受金物２がその応力をいかに支えるかを示したものである。なお、支柱３が存在しない場合にも、小梁４の自重により下方への応力５１がかかる。
【００２８】
支柱３からの応力５１は、柱受材２４を介して主部２１に伝達される。そして、主部２１から２つの支持部２２に伝達される。ここで、２つの支持部２２が柱受材２４に対して等間隔に配されていれば、２つの支持部２２がほぼ均等な押圧力５２を受ける。
【００２９】
その結果、柱受材２４を中心とする２つの支持部２２の回転モーメントがほぼ等しくなり、梁受金物２が安定して大梁を支持する。
【００３０】
ここで、２つの支持部２２の柱受材２４に対する間隔は、大きいことが好ましい。柱受材２４に対して大きな距離として、２つの支持部２２によって広範囲に大梁１を支持できるためである。また、支持部２２と柱受材２４との間では、上方水平延伸部１２を押圧しない。すなわち、支持部のみによって安定的な回転モーメントで大梁１を支持する。
【００３１】
支持部２２が左右に間隔を有していても、左右に大梁１を被覆する主部２１によって梁受金物２の剛性を保ち、広範囲の支持が可能となる。
【００３２】
支柱３からの応力５１は、大梁１を下方に押す。その力は、撓み防止材２５に受け止められ、撓み防止材の押圧力５３が上向きに発生する。この押圧力は、支持部２２の押圧力と相殺し、大梁１は上下から均等な押圧力を受ける。大梁１は、延伸方向に撓むことなく支持される。
【００３３】
図５は、撓み防止材を備えない場合の支柱の応力への対応を示す図である。撓み防止材２５がないので、支柱からの応力５１によって下方に押された大梁１は、下方に撓む。支持部２２によって押圧され、図にθで示した角度だけ、大梁が撓む。大梁の機能としては、θが小さなことが好ましい。このためには、２つの支持部２２の柱受材２４に対する間隔を大きくすることが好ましい。
【産業上の利用可能性】
【００３４】
支柱から受ける下向きの応力を剛性によって支持すると共に、応力を分散して梁の歪みを軽減する梁受金物である。多くの建築業者による利用が考えられる。
【符号の説明】
【００３５】
１      大梁
１１    垂直延伸部
１２    上方水平延伸部
１３    下方水平延伸部
２      梁受金物
２１    主部
２２    支持部
２３    孔部
２４    柱受材
２４１  柱受用突出部
２５    撓み防止材
２６    小梁受材
３      支柱
４      小梁
５１    支柱からの応力
５２    支持部の押圧力
５３    撓み防止材の押圧力
【要約】
【課題】  支柱から受ける下向きの応力を剛性によって支持すると共に、応力を分散して梁の歪みを軽減する梁受金物を提供すること。
【解決手段】水平方向に延伸された大梁と大梁の上方に垂直方向に延伸される支柱との接合を補強する梁受金物であって、大梁の２つの垂直延伸部を前柱の左右にわたって被覆する主部と、大梁の上方水平延伸部の前記支柱の両側に各々設けられ上方延伸部を上から被覆する２つの支持部とを備えることを特徴とする、梁受金物を提供する。
【選択図】図２【図１】
0006818399.tif 000002
【図２】
0006818399.tif 000003
【図３】
0006818399.tif 000004
【図４】
0006818399.tif 000005
【図５】
0006818399.tif 000006